(57)【要約】【課題】条件によらずキーバックライトの発光輝度を一定に保つ折り畳み式携帯電話機および折り畳み式携帯電話機のＬＥＤ制御方法を提供する。【解決手段】表示装置と同一面上であり、折り畳み状態では、キーバックライト用のＬＥＤで照明されるキーパッドの１つに対向するように配置される照度検出手段と、筐体動作開始の検出直後に、折り畳み状態でキーバックライトを点灯して得る照度検出手段の出力を判定し、キー使用時のキーバックライトのＬＥＤの輝度を所定の範囲に調整するように制御する制御手段とを有する。【選択図】図１
2009027279.tif 000002
【特許請求の範囲】
【請求項１】
表示装置と同一面上であり、折り畳み状態では、キーバックライト用のＬＥＤで照明されるキーパッドの１つに対向するように配置される照度検出手段と、
筐体動作開始の検出直後に、前記折り畳み状態で前記キーバックライトを点灯して得る前記照度検出手段の出力を判定し、キー使用時の前記キーバックライトの前記ＬＥＤの輝度を所定の範囲に調整するように制御する制御手段とを有することを特徴とする折り畳み式携帯電話機。
【請求項２】
前記ＬＥＤの駆動は、電池電源で行うことを特徴とする請求項１に記載の折り畳み式携帯電話機。
【請求項３】
前記ＬＥＤの駆動は、定電圧源または定電流源で行い、
前記制御手段は、前回の筐体開時の測定結果を基に前記ＬＥＤの輝度調整を行うことを特徴とする請求項２に記載の折り畳み式携帯電話機。
【請求項４】
前記ＬＥＤの輝度調整は、パルス制御部のＯＮ／ＯＦＦ制御で行なうことを特徴とする請求項３に記載の折り畳み式携帯電話機。
【請求項５】
表示装置と同一面上であり、折り畳み状態では、キーバックライト用のＬＥＤで照明されるキーパッドの１つに対向するように配置される照度検出手段を有して行う折り畳み式携帯電話機のＬＥＤ制御方法であって、
筐体動作開始の検出直後に、前記折り畳み状態で前記キーバックライトを点灯して得る前記照度検出手段の出力を判定し、キー使用時の前記キーバックライトの前記ＬＥＤの輝度を所定の範囲に調整するように制御を行なうことを特徴とする折り畳み式携帯電話機のＬＥＤ制御方法。
【請求項６】
前記ＬＥＤの駆動は、電池電源で行うことを特徴とする請求項５に記載の折り畳み式携帯電話機のＬＥＤ制御方法。
【請求項７】
前記ＬＥＤの駆動は、定電圧源または定電流源で行い、
前回の筐体開時の測定結果により前記ＬＥＤの輝度調整を行うことを特徴とする請求項６に記載の折り畳み式携帯電話機のＬＥＤ制御方法。
【請求項８】
前記ＬＥＤの輝度調整は、パルス制御部のＯＮ／ＯＦＦ制御で行なうことを特徴とする請求項７に記載の折り畳み式携帯電話機のＬＥＤ制御方法。
【発明の詳細な説明】
【技術分野】
【０００１】
本発明は、条件によらずキーバックライトの発光輝度を一定に保つ折り畳み式携帯電話機および折り畳み式携帯電話機のＬＥＤ制御方法に関する。
【背景技術】
【０００２】
一般の携帯電話機には、暗時のキー操作のために、キーバックライトが用意されている。また、周囲光に合わせディスプレイのバックライトやキーＬＥＤの照光を調整する機能を実現するために、照度センサを搭載する機種も増加している。
【０００３】
加えて、表示部の保護や携帯性、使い勝手の向上のため折り畳み形状を実現している機種も数多く存在する。
【０００４】
キーバックライトとしてＬＥＤが用いられる場合には、電池駆動される場合があり、その場合にはキーＬＥＤに流れる電流、すなわちキーＬＥＤの輝度は電池電圧に依存することになる。
【０００５】
また、ＬＥＤは経年により輝度劣化することが一般に知られている。さらにＬＥＤ素子のロット間のばらつきにより、同一電流を流した場合においても輝度に差がでることもある。
【０００６】
以上よりＬＥＤの発光輝度は、同一の携帯電話装置においても電池電圧の条件により異なる可能性があり、また装置間についてはＬＥＤ素子のばらつきも加わることにより、使用者のクレームにつながることが想定される。
【０００７】
更に、装置開発時においては、これらの輝度ばらつきを想定した各種評価を実施することによる工数の増大や、ＬＥＤの輝度のレベル管理よるコストの増大も懸念される。
【０００８】
上述した背景に関連する技術を次に開示する。
【０００９】
特許文献１は、ノート型パーソナルコンピュータの周囲の照度を計測する照度センサを備え、ＬＣＤ表示輝度制御部は、照度センサから出力される照度情報に基づいてＬＣＤ表示部の輝度を制御し、バックライト制御部は、照度センサから出力される照度情報に基づいてキーボードの裏側に配置されたバックライトの照度の制御を行ない、環境光の状態を検出して情報機器の入力装置や表示装置を使用者が快適に使用することができる技術が開示されている。
【００１０】
特許文献２は、ヒンジ部を中心にして一方にキーボタンを、他方に表示装置を対向して配置する。表示装置の周囲に太陽電池部を配置し、キーボタンの裏には発光部を配置する。携帯電話機が閉じている場合には、発光部からの光を太陽電池部に入射させて、電圧を発生させ、これを電圧測定部で検知して携帯電話機の開閉状態を検知する。太陽電池部は、十分な明るさのもとで携帯電話機が開放状態であるとき、携帯電話機の動作電源としたり、内蔵電池の充電等に使用可能である。開閉状態が容易且つ確実に検知でき、小形軽量化および低消費電力化が可能となる技術が開示されている。
【００１１】
特許文献３は、操作キーが操作されると、バックライト用ＬＥＤが点灯する携帯端末であって、周囲の明るさを検出する光センサと、該光センサの検出結果に基づいて、操作キーが操作されたときに、周囲が明るければバックライト用ＬＥＤを暗く駆動させ、周囲が暗いときにはその暗さに応じてバックライト用ＬＥＤを明るく駆動させるコントローラ２とを備え、バックライト用ＬＥＤの照度と点灯時間を柔軟に制御する技術が開示されている。
【００１２】
特許文献４は、折り畳み式の筐体に、当該筐体が折り畳み状態であることを検出する折畳検出部と、自発光型ディスプレイと対面する光センサ部とを備えると共に、記憶部にあらかじめ定められた標準値を記憶し、さらに、制御部が、折り畳み状態のときに自発光型ディスプレイの表示を所定の表示状態に設定する光センサ補正用表示機能と、光センサ部からの出力値を検出する光センサ出力検出機能と、このとき検出された出力値と記憶部に記憶されている標準値とを比較して光センサ部の出力値を補正する補正値を算出する補正値算出機能と、光センサ部からの周囲光に対する出力値と算出された補正値とに基づいて自発光型ディスプレイの輝度を変更する輝度調節機能とを備え、ディスプレイごとに異なる輝度のばらつきを抑制する技術が開示されている。
【００１３】
特許文献５は、携帯電話機の使用環境の背景光量を検出する光検出部、あるいは当該携帯電話機の使用に伴う圧力を検出する圧力検出部と、これら検出部の検出出力に基づいて照明部の発光光量を調整する光量調整部を設け、使用環境に応じて光量を調整可能な技術が開示されている。
【特許文献１】特開２００１−２６５４６３号公報
【特許文献２】特開２００１−２９２２１４号公報
【特許文献３】特開２００２−１６４９７２号公報
【特許文献４】特開２００３−１２５０６０号公報
【特許文献５】特開平４−２４９４５７号公報
【発明の開示】
【発明が解決しようとする課題】
【００１４】
しかしながら、特許文献１から５のいずれも、折り畳み式携帯電話機のディスプレイのバックライト輝度調整用途に搭載された照度センサを利用し、筐体開前、筐体閉時にキーＬＥＤ発光による照度を測定し、測定照度に応じてキーＬＥＤの発光輝度を調整することに関しての記載がなされていない。また、これに効果も示唆されていない。
【００１５】
そこで本発明は、折り畳み式携帯電話機のディスプレイのバックライト輝度調整用途に搭載された照度センサを利用し、筐体開前にキーＬＥＤ発光による照度を測定し、測定照度に応じてキーＬＥＤの発光輝度を調整する折り畳み式携帯電話機および折り畳み式携帯電話機のＬＥＤ制御方法を提供することを目的とする。
【課題を解決するための手段】
【００１６】
上記の目的を達成するため、本発明に係る折り畳み式携帯電話機の第１の態様は、表示装置と同一面上であり、折り畳み状態では、キーバックライト用のＬＥＤで照明されるキーパッドの１つに対向するように配置される照度検出手段と、筐体動作開始の検出直後に、前記折り畳み状態で前記キーバックライトを点灯して得る前記照度検出手段の出力を判定し、キー使用時の前記キーバックライトの前記ＬＥＤの輝度を所定の範囲に調整するように制御する制御手段とを有することを特徴とする。
【００１７】
本発明に係る折り畳み式携帯電話機のＬＥＤ制御方法の第１の態様は、表示装置と同一面上であり、折り畳み状態では、キーバックライト用のＬＥＤで照明されるキーパッドの１つに対向するように配置される照度検出手段を有して行う折り畳み式携帯電話機のＬＥＤ制御方法であって、筐体動作開始の検出直後に、前記折り畳み状態で前記キーバックライトを点灯して得る前記照度検出手段の出力を判定し、キー使用時の前記キーバックライトの前記ＬＥＤの輝度を所定の範囲に調整するように制御を行なうことを特徴とする。
【００１８】
本発明によれば、折り畳み式携帯電話機のディスプレイのバックライト輝度調整用途に搭載された照度センサを利用し、筐体開前にキーＬＥＤ発光による照度を測定し、測定照度に応じてキーＬＥＤの発光輝度を調整する折り畳み式携帯電話機および折り畳み式携帯電話機のＬＥＤ制御方法を提供することを可能とする。
【発明を実施するための最良の形態】
【００１９】
本発明に係る折り畳み式携帯電話機は、以下を実現する。
照度センサによりディスプレイの輝度調整等を行い消費電力を低減する機能を有し、照度センサの実装位置および使用方法を工夫することで、条件によらずキーバックライトの発光輝度を一定に保つ。
【００２０】
上記を実現するために、本発明に係る折り畳み式携帯電話機の第１の態様は、以下の特徴を有する。
表示装置と同一面上であり、折り畳み状態では、キーバックライト用のＬＥＤで照明されるキーパッドの１つに対向するように配置される照度検出手段と、筐体動作開始の検出直後に、折り畳み状態でキーバックライトを点灯して得る照度検出手段の出力を判定し、キー使用時のキーバックライトのＬＥＤの輝度を所定の範囲に調整するように制御する制御手段とを有する。
上記構成によれば、表示装置のバックライト輝度調整用途に搭載された照度センサを利用し、筐体開前にキーＬＥＤ発光による照度を測定し、測定照度に応じてキーＬＥＤの発光輝度を調整することが可能となる。
【００２１】
本発明に係る折り畳み式携帯電話機の第２の態様は、以下の特徴を有する。
ＬＥＤの駆動は、電池電源で行う。
上記構成によれば、ＬＥＤのＶＦ（順方向電圧降下）を超える一定の電圧を駆動電源として供給する。また、部品点数の増加による実装面積、コストの増加を回避する。
【００２２】
本発明に係る折り畳み式携帯電話機の第３の態様は、以下の特徴を有する。
ＬＥＤの駆動は、定電圧源または定電流源で行い、制御手段は、前回の筐体開時の測定結果をＬＥＤの輝度調整を行う。
上記構成によれば、照度検出手段による周囲光の測定は、筐体閉時の任意の時に実施可能となる。
【００２３】
本発明に係る折り畳み式携帯電話機の第４の態様は、以下の特徴を有する。
ＬＥＤの輝度調整は、パルス制御部のＯＮ／ＯＦＦ制御で行なう。
上記構成によれば、一定の輝度にてキーＬＥＤを点灯させることが可能である。
【００２４】
上述した態様を有する折り畳み式携帯電話機の好適な構成について図１、図２、図３を用いて説明する。
以下に説明する構成は、上記態様を有する折り畳み式携帯電話機の構成の一例であって、これに限定されることはなく、当業者が容易に発想できる範囲内において、変形可能とする。
図１は、本発明に係る折り畳み式携帯電話機の構成の全体図を示す。
図２は、本発明に係る折り畳み式携帯電話機の構成の側面図を示す。
図３は、本発明に係る折り畳み式携帯電話機の構成のブロック図を示す。
【００２５】
図１に示す、折り畳み式の筐体１は、上筐体、下筐体、ヒンジ部により構成されヒンジ部を支点に上筐体とし下筐体が向かい合うように折り畳まれる構造となる。
【００２６】
上筐体には、表示装置としてのディスプレイ部２と、照度検出部として周囲照度を測定する照度センサ３が備えられている。
【００２７】
照度センサ３は、ディスプレイ部２と同一面に搭載されており、主にディスプレイ部２のバックライトの輝度調整の用途に使用される。
【００２８】
下筐体には、操作用のキーパッド４が備えられており、キーパッド４の下（直下でなくても良い）には、使用者の視認性を向上させるためＬＥＤによるキーバックライト５が搭載される。
【００２９】
また照度センサ３は、筐体１の折り畳み時にキーパッドの一つと対面する位置に設置される。
【００３０】
図２に本携帯電話機の閉時の側面図を示す。
【００３１】
これらの構成による携帯電話機において、筐体開前にキーバックライト５のＬＥＤを点灯させ、その輝度を上筐体に搭載された照度センサにより測定し、測定照度に応じてキーＬＥＤの発光輝度を調整する。
【００３２】
筐体開前とは、使用者が筐体開を意図してから筐体が開き始めるまでの時間でありその方法は問わない。
【００３３】
好適な一例としては、筐体開スイッチ押下時から筐体開開始までの機械的な遅延時間により確保可能な一定時間が考えられる。
【００３４】
また、照度発光輝度の調整の一方法として、ＰＷＭ制御のデューティ（ＯＮ／ＯＦＦ比）を変更することが考えられる。
【００３５】
図３に携帯電話機の本発明に関連する箇所のブロック図の一例を示す。
【００３６】
制御部としてのＣＰＵ１１は、携帯電話機の動作全般を司る。
【００３７】
メモリ１２は、ＣＰＵ１１の動作プログラムおよび各種パラメータが格納される。
【００３８】
キーＬＥＤ部１３は、キーパッドの照明用として用いられる。
【００３９】
電池電源１４は、キーＬＥＤ部１３を駆動する。
【００４０】
ＰＷＭ部１５は、点灯制御を行なう。
【００４１】
輝度の調整は、ＰＷＭ制御のデューティを変更させることにより行う。
【００４２】
開閉検出部６は、押下スイッチ等と組み合わせに折り畳み筐体の開閉の実行および検出を行い、ＣＰＵ１に通知を行う。
【００４３】
照度センサ７は、周囲光を測定し、検出照度をＣＰＵ１に通知する。
【実施例１】
【００４４】
上述した構成を有する折り畳み式携帯電話機において、実施を行う実施例について説明する。
なお、以下に示す実施例は、好適に実施する一例であって、これに限定されることはなく、趣旨を逸脱しない範囲内において、また、当業者が容易に発想できる範囲内において、変形実施可能とする。
【００４５】
本実施例に係る折り畳み式携帯電話機においての処理について図１、図２、図３、図４を用いて説明する。
図４は、本実施例に係る折り畳み式携帯電話機においての処理について説明する。
【００４６】
ユーザにより、携帯電話の筐体開ボタン６が押されると、開閉検出部１６は、筐体開動作開始を検出する（ステップＳ１０１）。
【００４７】
この際に、開閉検出部１６は、折り畳み筐体の開閉の実行および検出をＣＰＵ１１に通知する。
【００４８】
ステップＳ１０１の処理後、照度センサ３は、周囲光を測定し、照度センサ部１７は、測定した周囲光から照度を測定する（ステップＳ１０２）。
【００４９】
この際に、測定結果である検出照度の出力値をＣＰＵ１１に通知し、メモリ１２に出力値を記憶する。
【００５０】
本実施例では、この周囲光は、筐体開前のキーバックライト５のＬＥＤ点灯である。
【００５１】
ステップＳ１０２の処理で照度測定後、ＣＰＵ１１は、測定照度の判定を行う（ステップＳ１０３）。
【００５２】
この際に、ＣＰＵ１１は、測定した照度の出力値をメモリ１２に予め設定してある閾値と比較し、キーＬＥＤ部３の輝度調整が必要か否かの判定を行う。
【００５３】
ステップＳ１０３の処理で、キーＬＥＤ部３の輝度調整が必要と判定された場合には（ステップＳ１０３／ＹＥＳ）、キーＬＥＤ部３の輝度調整を実施する（ステップＳ１０４）。
【００５４】
キーＬＥＤ部３の輝度調整方法は、ＰＷＭ部１５によるデューティ制御で行う。
【００５５】
ステップＳ１０３の処理で、輝度調整が必要ではないと判定された場合には（ステップＳ１０３／ＮＯ）、処理を終了する。
【００５６】
電池電圧、ＬＥＤのロット間のばらつき、ＬＥＤの経年による輝度劣化等に寄らず常に一定の輝度にてキーＬＥＤを点灯させることが可能である。
【００５７】
また、これにより、輝度バラツキを想定した各種評価の実施の必要性が下がり、同時にＬＥＤのランク選別等による輝度管理のレベルを下げることが可能である。
【００５８】
また、従来機よりディスプレイのバックライトの消費電流低減用の照度センサを用いることにより、新たに回路追加することなく実現する。
【実施例２】
【００５９】
本発明に係る折り畳み携帯電話機において、好適に実施を行う第２の実施例について説明する。
【００６０】
本実施例では、第１の実施例との相違は、以下の点である。
キーＬＥＤ部３の輝度調整方法において、定電圧源または定電流源をＬＥＤの駆動電源とする。
【００６１】
ユーザは、携帯電話機が折り畳まれた状態で、筐体開ボタン以外のボタンを押下し、キーＬＥＤ部３を駆動させ、キーバックライト５を点灯させる。
【００６２】
この際に、ＣＰＵ１１は、キーバックライト５の点灯を検出する。
【００６３】
検出したＣＰＵ１１は、照度センサ部１７に照度の検出を行うように命令する。
【００６４】
照度センサ部１７は、照度センサ３から点灯されたキーバックライト５の輝度の出力値を検出する。
【００６５】
ＣＰＵ１１は、メモリ１２から予め記憶されている出力値の標準値を取り出し、取り出した出力値の標準値と、検出した出力値とを比較する。
【００６６】
比較した際に、メモリ１２から取り出した出力値の標準値と、検出した出力値とが同じである場合に、輝度の調整を行わない。
【００６７】
比較した際に、メモリ１２から取り出した出力値の標準値と、検出した出力値とが相違している場合に輝度値を補正する。
【００６８】
電池の電圧変動によるＬＥＤの輝度への影響はなくなるため、照度センサによる測定を筐体閉の任意の時に実施し、次回の筐体開時に前回の測定結果により調整する方法も可能となる。
【００６９】
本実施例によれば、キーＬＥＤ部３の輝度調整方法は、定電圧源または定電流源をＬＥＤの駆動電源とし、電池の電圧変動によるＬＥＤの輝度への影響はなくなるため、照度センサによる測定を筐体閉の任意の時に実施し、次回の筐体開時に測定結果により調整する方法も可能となる。
【産業上の利用可能性】
【００７０】
本発明に係る折り畳み式携帯電話機は、その他の折り畳み構造を有する電子機器に適用可能である。
【図面の簡単な説明】
【００７１】
【図１】本発明に係る折り畳み携帯電話機の構成全体を示す図である。
【図２】本発明に係る折り畳み携帯電話機の構成を示す側面図である。
【図３】本発明に係る折り畳み携帯電話機の内部構成を示すブロック図である。
【図４】本発明に係る折り畳み携帯電話機において、処理を示すフローチャート図である。
【符号の説明】
【００７２】
１    筐体
２    表示装置
３    照度センサ（照度検出手段）
４    キーパッド
５    キーバックライト
６    筐体開閉ボタン
１１    ＣＰＵ（制御手段）
１２    メモリ
１３    キーＬＥＤ部
１４    電池電源
１５    ＰＷＭ部
１６    開閉検出部
１７    照度センサ部
【図１】
2009027279.tif 000003
【図２】
2009027279.tif 000004
【図３】
2009027279.tif 000005
【図４】
2009027279.tif 000006